(57)【要約】【課題】径方向において器具全体をコンパクトに形成しながらも、輝度むらを生じることなく十分な明るさを確保することができる照明器具を提供する。【解決手段】平坦な反射面１ａを有する箱型の器具本体１と、器具本体１に収納される点灯装置２及び電源接続部３と、器具本体１の反射面１ａに装着される平面ランプ４と、平面ランプ４を覆うように装着される透過カバー５とを具備し、点灯装置２及び電源接続部３を、器具本体１の反射面１ａに対して形成される平面ランプ４の投影面と略一致する領域内に配置した照明器具とする。【選択図】図１
2008204736.tif 000002
【特許請求の範囲】
【請求項１】
平坦な反射面を有する箱型の器具本体と、器具本体に収納される点灯装置及び電源接続部と、器具本体の反射面に装着される平面ランプと、平面ランプを覆うように装着される透過カバーとを具備し、点灯装置及び電源接続部を、器具本体の反射面に対して形成される平面ランプの投影面と略一致する領域内に配置することを特徴とする照明器具。
【請求項２】
点灯装置を、直方体に形成することを特徴とする請求項１に記載の照明器具。
【請求項３】
点灯装置を、ドーナツ状に形成することを特徴とする請求項１に記載の照明器具。
【発明の詳細な説明】
【技術分野】
【０００１】
本発明は、平面ランプを用いた照明器具に関する。
【背景技術】
【０００２】
従来、照明器具としては、例えば特許文献１に開示されるように環状の発光管を用いたものが周知である。この環状の発光管を用いた照明器具においては、発光管に囲まれる中央のスペースを利用して点灯装置や電源接続部を配置することが一般的であり、この配置によって点灯装置や電源接続部の影が透光カバーに映ることも防止される。
【０００３】
しかし上記環状の発光管を用いた照明器具においては、或る程度の明るさを確保するためには大径の発光管が必要となり、径方向において器具全体が大型化するといった問題がある。また、中央のスペースは発光しないので輝度むらが生じるといった問題もある。
【特許文献１】特開２００３−１９７３８３号公報
【発明の開示】
【発明が解決しようとする課題】
【０００４】
本発明は上記問題点に鑑みて発明したものであって、径方向において器具全体をコンパクトに形成しながらも、輝度むらを生じることなく十分な明るさを確保することができる照明器具を提供することを課題とする。
【課題を解決するための手段】
【０００５】
上記課題を解決するために本発明を、平坦な反射面１ａを有する箱型の器具本体１と、器具本体１に収納される点灯装置２及び電源接続部３と、器具本体１の反射面１ａに装着される平面ランプ４と、平面ランプ４を覆うように装着される透過カバー５とを具備し、点灯装置２及び電源接続部３を、器具本体１の反射面１ａに対して形成される平面ランプ４の投影面と略一致する領域内に配置することを特徴とした照明器具とする。
【０００６】
上記構成の照明器具にあっては、小径であっても十分な明るさを確保でき且つ輝度むらを生じることのない平面ランプ４を光源として用い、更に、この小径の平面ランプ４の投影面と略一致する領域内に点灯装置２や電源接続部３を配置したことで、径方向において非常にコンパクトな照明器具が実現される。
【０００７】
また上記点灯装置２を、直方体に形成することも好適である。この場合、領域内の中心に点灯装置２を配するとともに、この領域内において点灯装置２の長片側と隣接する位置に電源接続部３を配するといったように、点灯装置２及び電源接続部３を器具本体１内にコンパクトに収納することができる。
【０００８】
また上記点灯装置２を、ドーナツ状に形成することも好適である。この場合、領域の外周部分に点灯装置２を配するとともに、この領域内の中心に電源接続部３を配するといったように、点灯装置２及び電源接続部３を器具本体１内にコンパクトに収納することができる。
【発明の効果】
【０００９】
請求項１に係る発明は、径方向において器具全体をコンパクトに形成しながらも、輝度むらを生じることなく十分な明るさを確保することができるという効果を奏する。
【００１０】
また請求項２に係る発明は、請求項１に係る発明の効果に加えて、点灯装置及び電源接続部を器具本体内にコンパクトに収納することができるという効果を奏する。
【００１１】
また請求項３に係る発明は、請求項１に係る発明の効果に加えて、点灯装置及び電源接続部を器具本体内にコンパクトに収納することができるという効果を奏する。
【発明を実施するための最良の形態】
【００１２】
以下、本発明を添付図面に示す実施形態に基づいて説明する。図１〜図３には、本発明の実施形態における一例の照明器具を示している。本例の照明器具は、箱型に形成される器具本体１と、この器具本体１内に収納される点灯装置２と、同じく器具本体１内に収納される電源接続部３（図３参照）と、器具本体１の外面に形成される平坦な反射面１ａに装着される平面ランプ４と、この平面ランプ４と器具本体１を覆う透過カバー５とで主体を構成している。なお図３においては、平面ランプ４は省略してある。
【００１３】
上記器具本体１は天井等の器具設置面Ｃ（図１参照）に設置されるものであり、一面側の開口した本体ケース６の開口部分を、器具設置面Ｃに固定される平板状の取付板７で覆うことで形成される。この有底筒状の本体ケース６の底壁外面が器具本体１の上記反射面１ａを成し、また本体ケース６の周壁外面が器具本体１の側周面１ｂを成す。つまり本体ケース６の外面は反射面１ａの周縁から側周面１ｂを立設した形状であって、更に上記側周面１ｂにおいては、反射面１ａに近い側の部分をテーパ面８とし、テーパ面８から反射面１ａとは離れる側に向けて延設される部分を、反射面１ａに対して垂直に形成される垂直面９としている。
【００１４】
上記点灯装置２は、図３に示すように直方体を成すインバータ式のものであり、器具本体１内にて電源接続部３と電気的に接続させてある。点灯装置２及び電源接続部３は共に、本体ケース６の円板状を成す底壁の内面中央に配置しており、この点灯装置２は更に、器具本体１の上記反射面１ａに設置してある一対のランプソケット１０と電気的に接続させてある。上記点灯装置２及び電源接続部３の配置等については、改めて詳述する。
【００１５】
上記平面ランプ４は、全体形状が略円板状となるように二重渦巻状に形成した発光管１１と、この発光管１１の両端部に設けた一対の口金１２とから成る蛍光ランプであり、対応するランプソケット１０に各口金１２を電気的に接続することで、ランプソケット１０を介して点灯装置２と電気的に接続される構造である。図４にも示すように上記発光管１１は、その長さ方向の中間部分１１ａを中心に位置させるとともに、該中間部分１１ａから長さ方向の一方に伸びる部分と他方に伸びる部分とを、同一回転方向に向けて螺旋状に巻いた二重渦巻き形状を有する。これにより、本例の平面ランプ４は中央部分を含めた面全体が発光するようになっており、例えば従来の環状を成すランプと比較して、小径であっても十分な明るさを確保することができ、且つ輝度むらを生じないものとなっている。
【００１６】
発光管１１の中間部分１１ａは他の部分よりも太く形成しており、その一部を平面ランプ４の片面側に突出させることで、この突出部分を発光管１１の最冷点としている。また図４に示すように、各口金１２とこれの内側に位置する発光管１１の一部との間、及び発光管１１の一部とこれの内側に位置する発光管１１の他部との間には、充填材１３を充填させてある。更に、一対の口金１２同士はブリッジ１４により連結させており、この充填材１３とブリッジ１４によって二重渦巻状の発光管１１の変形を防止している。
【００１７】
各口金１２の端面には二本のピン１５を、発光管１１が渦巻状に配される平面と直交する方向において並設してある。一対の口金１２は、発光管１１の中間部分１１ａを中心とした点対称の位置にあり、各口金１２の端面は互いに逆方向を向いているので、一方の口金１２のピン１５の突出方向は、他方の口金１２のピン１５の突出方向の逆方向となっている。この配置とすることで、口金１２やピン１５を含めた平面ランプ４全体を最もコンパクトに構成することができる。また、発光管１１内において一対のピン１５間に配されるフィラメント（図示せず）と該発光管１１内面との間のクリアランスも、発光管１１が渦巻状に湾曲するという条件の下で最大限に確保することができる。
【００１８】
器具本体１の反射面１ａに設けてある一対のランプソケット１０は図５に示すようなものであり、反射面１ａに取付固定されるソケット本体１６と、このソケット本体１６に凹設した断面円形状の保持部１７内に回転自在に収納される断面Ｃ字状の回動体１８とから成る。回動体１８の周方向端部には、径方向外側に向けて操作レバー１９を突設しており、この操作レバー１９が、ソケット本体１６に設けた切欠部２０を通じて外部に突出する構造になっている。また回動体１８の内周面には、一対の接触子（図示せず）が固設してある。
【００１９】
器具本体１の反射面１ａには更に、断面略Ｃ字状を成す一対の支持バネ２１（図１〜図３参照）が固設してあり、器具本体１に平面ランプ４を装着する際にはまずこの支持バネ２１に該平面ランプ４を仮保持させる。そして、図５（ａ）に示すように断面Ｃ字状を成す回動体１８を、その内部空間がソケット本体１６の切欠部２０と連通するように位置させたうえで、切欠部２０を通じて各口金１２の一対のピン１５を回動体１８内に挿入する。この後、操作レバー１９により各回動体１８を回動させて図５（ｂ）に示す状態とし、各回動体１８の一対の接触子と電気的に接触した状態で一対のピン１５を保持させる。なお、各ランプソケット１０から平面ランプ４を取り外すには、上記と逆の手順を実行すればよい。
【００２０】
上記透過カバー５は、円板状を成す底壁部５ａと、この底壁部５ａの周縁全周から略直交方向に延設される円筒状の周壁部５ｂと、この周壁部５ｂの更に先端縁から内方に向けて延設されるフランジ状の取付部５ｃとで主体を構成している。器具本体１の側周面１ｂには、上端部分が外方に湾曲して突出するように形成したバネ部材２２が配してある。このバネ部材２２は、周方向に等間隔を隔てた複数個所（図示例では三箇所）に設けており、各バネ部材２２の上記突出部分が、透過カバー５の取付部５ｃを係止するための係止部２２ａとなっている。
【００２１】
各バネ部材２２は、外側から係止部２２ａに力が加わると撓んで該係止部２２ａを内方に移動させるように配してある。したがって、平面ランプ４を装着した状態の反射面１ａ側から透過カバー５を被せてゆき、透過カバー５の取付部５ｃを各バネ部材２２の係止部２２ａに当てて押し込むことで該係止部２２ａは内側へと移動する。そして、取付部５ｃを更に押し込んで係止部２２ａを乗り越えた所定の取付箇所にて、係止部２２ａは外方に弾性復帰する。上記取付箇所において透過カバー５は器具本体１に装着される。
【００２２】
図１には、器具本体１に平面ランプ４や透過カバー５を装着した状態を示している。器具本体１の側周面１ｂに形成されるテーパ面８は、反射面１ａ（即ちここに装着される平面ランプ４）から離れる方向に行くほど広がるように傾斜しており、このテーパ面８と透過カバー５の周壁部５ｂ内面との間には、全周に亘って所定の隙間が形成されるように設けている。この隙間は、器具本体１の反射面１ａと透過カバー５の底壁部５ａ内面との間に形成される隙間と連通するものであり、この隙間を通じて平面ランプ４の端部から発する直射光が透過カバー５の周壁部５ｂの全面に照射される。
【００２３】
器具本体１の反射面１ａは、平面ランプ４の反射面１ａに対する投影面よりも僅かに大径の面に形成してある。したがって、平面ランプ４の端部から発せられる直射光のうち、反射面１ａにおいて平面ランプ４の投影面よりも外側の領域に当たる直射光は、反射によって底壁部５ａの外周縁部分を照らすこととなる。この底壁部５ａの外周縁部分は平面ランプ４の直射光が当たり難く、影を生じ易い部分であるが、上記反射光により影を補って明るく照らすことができる。
【００２４】
そして、器具本体１内における点灯装置２及び電源接続部３の配置はいずれも、平面ランプ４の反射面１ａに対する投影面と略一致する領域内に収まるように設けている。この領域は、上記投影面を含み且つこれよりも僅かに大径に形成される円形状の領域であって、投影方向から視て長方形を成す上記点灯装置２をその中央に配し、この点灯装置２の長片側に隣接して電源接続部３を配することで、点灯装置２及び電源接続部３を領域内に収納している。
【００２５】
また図３等に示すように、器具本体１の取付板７には、上記領域内であって電源接続部３と対向する箇所に、電源コード（図示せず）導入用の引き込み孔２３を設けている。この引き込み孔２３を通じて本体ケース６内に導入される電源コードは該引き込み孔２３の下方にて電源接続部３と接続される。
【００２６】
つまり本例の照明器具にあっては、光源として平面ランプ４を用いることにより、光源自体を小径に形成しながらも十分な明るさを確保し且つ輝度むらを防止することができる。そして、この小径である平面ランプ４の投影面と略一致する領域内に、点灯装置２、電源接続部３及び電源コードの配設スペースを効率的に収めた構造にすることで、器具全体を小径に構成することが可能となっている。
【００２７】
なお、上記領域を平面ランプ４の投影面と一致するように設けても構わない。この場合、平面ランプ４の投影面内に点灯装置２、電源接続部３及び電源コードの配設スペースが収められる。
【００２８】
図６に示すものは、上記した直方体の点灯装置２を他の照明器具に用いた場合の例である。図６（ａ）の例は複数並設してある発光管３０と平行に点灯装置２を配置した例であり、壁側面から成る器具設置面Ｃに固定してある。また図６（ｂ）の例は複数並設してある発光管３０と直交するように点灯装置２を配置した例であり、電源コード４０を介して上方から吊るしてある。
【００２９】
次に、本発明の実施形態における他例の照明器具について図７に基づいて説明するが、上記した一例と同様の構成については説明を省略する。本例にあっては、中央に貫設孔５０を設けたドーナツ状に点灯装置２を形成するとともに、この貫設孔５０内に電源接続部３を配置している。
【００３０】
また図示しないが、本例にあっては器具本体１の引き込み孔２３を、平面ランプ４の投影面の中央に位置させている。即ち、小径である平面ランプ４の投影面と略一致する円形状の領域内に、点灯装置２、電源接続部３及び電源コードの配設スペースを効率的に収めた構造にすることができ、器具全体を小径に構成することが可能となっている。なお、本例においても上位領域を、平面ランプ４の投影面と一致するように設けても構わない。この場合、平面ランプ４の投影面内の外周側に点灯装置２が位置し、且つ投影面内の中央に電源接続部３が位置することとなる。
【図面の簡単な説明】
【００３１】
【図１】本発明の実施形態における一例の照明器具の断面図である。
【図２】同上の分解斜視図である。
【図３】同上の平面ランプを除いた状態の一部破断分解斜視図である。
【図４】同上の平面ランプを示し、（ａ）は正面図、（ｂ）は側面図である。
【図５】同上のランプソケットの説明図であり、（ａ）は平面ランプを装着する前の状態、（ｂ）は装着後の状態を示している。
【図６】（ａ）、（ｂ）は直方体の点灯装置を他の照明器具に用いた場合の例を示す説明図である。
【図７】本発明の実施形態における他例の照明器具の説明図である。
【符号の説明】
【００３２】
１  器具本体
１ａ  反射面
２  点灯装置
３  電源接続部
４  平面ランプ
５  透過カバー
【図１】
2008204736.tif 000003
【図２】
2008204736.tif 000004
【図３】
2008204736.tif 000005
【図４】
2008204736.tif 000006
【図５】
2008204736.tif 000007
【図６】
2008204736.tif 000008
【図７】
2008204736.tif 000009